(57)【要約】【課題】外部通信端末と通信可能な画像送信装置において、外部通信端末から送信されてきた画像データと、当該装置側の画像データとを、容易に且つ効率良くまとめて送信できるようにする。【解決手段】複合機３は、入力された画像データを外部（例えば通信回線３ａ）へ送信可能である。複合機３は、外部通信端末（例えばスマートフォン５やＰＣ７）と通信が可能であり、外部通信端末からファクシミリ送信用の原稿（画像データ）及び宛先情報を受信した場合は、その受信した原稿をファクシミリ送信する。その際、複合機３自身においてファクシミリ送信用の画像データが入力された場合は、その入力された画像データを外部通信端末からの原稿（画像データ）に加えて送信用画像データを生成する。複合機３は、生成した送信用画像データを、上記宛先へ送信する。【選択図】図１
2015033005.tif 000002
【特許請求の範囲】
【請求項１】
所定の通信方式によって外部通信端末と通信が可能な通信部と、
画像データを送信可能な画像データ送信部と、
制御部と、
を備えた画像送信装置であって、
前記制御部は、
前記通信部を介して前記外部通信端末から画像データ及び宛先情報を受信する受信処理と、
前記受信処理による前記画像データ及び前記宛先情報の受信後、所定時間、前記外部通信端末から受信した画像データである端末側画像データ以外の他の画像データである追加画像データの追加を受け付ける追加受付処理と、
前記追加受付処理により前記追加画像データの追加が受け付けられた場合に、前記端末側画像データに前記追加画像データを加えて送信用画像データを生成する送信用画像データ生成処理と、
前記送信用画像データ生成処理により生成された前記送信用画像データを前記画像データ送信部を介して前記宛先情報が示す宛先へ送信する送信処理と、
を実行することを特徴とする画像送信装置。
【請求項２】
請求項１に記載の画像送信装置であって、
前記制御部は、
前記追加受付処理により前記追加画像データの追加が受け付けられた場合、前記端末側画像データと前記追加画像データとが、共に同一の宛先へ送信すべき同一宛先にあるか否かを判断する同一宛先判断処理を実行し、
前記同一宛先判断処理により前記端末側画像データと前記追加画像データとが前記同一宛先にあると判断された場合に、前記送信用画像データ生成処理を実行する
ことを特徴とする画像送信装置。
【請求項３】
請求項２に記載の画像送信装置であって、
前記制御部は、前記同一宛先判断処理において、
前記追加画像データの宛先の入力を受け付ける宛先入力受付処理と、
前記宛先入力受付処理により受け付けられた前記追加画像データの宛先と、前記宛先情報が示す宛先とが一致するか否か判断する宛先一致判断処理と、
を実行し、前記宛先一致判断処理により一致すると判断された場合に、前記端末側画像データと前記追加画像データとが前記同一宛先にあると判断する
ことを特徴とする画像送信装置。
【請求項４】
請求項２に記載の画像送信装置であって、
前記制御部は、前記同一宛先判断処理において、
前記外部通信端末で前記画像データ及び前記宛先情報の送信操作を行った端末側操作者と、当該画像送信装置において前記追加画像データの追加操作を行った装置側操作者とが同一又は対応する関係にあるか否かの認証処理を行い、前記認証処理により前記各操作者が同一又は対応する関係にあるとの認証が成功した場合に、前記端末側画像データと前記追加画像データとが前記同一宛先にあると判断する
ことを特徴とする画像送信装置。
【請求項５】
請求項４に記載の画像送信装置であって、
前記制御部は、前記同一宛先判断処理において、
前記認証処理の結果、前記認証が失敗した場合、更に、
前記追加画像データの宛先の入力を受け付ける宛先入力受付処理と、
前記宛先入力受付処理により受け付けられた前記追加画像データの宛先と、前記宛先情報が示す宛先とが一致するか否か判断する宛先一致判断処理と、
を実行し、前記宛先一致判断処理により一致すると判断された場合は、前記端末側画像データと前記追加画像データとが前記同一宛先にあると判断する
ことを特徴とする画像送信装置。
【請求項６】
請求項１〜請求項５の何れか１項に記載の画像送信装置であって、
前記制御部は、
前記追加受付処理により前記追加画像データの追加が受け付けられた場合に、前記端末側画像データ及び前記追加画像データの少なくとも一方に基づいて、これら各画像データを相互にどのように組み合わせて前記送信用画像データを生成すべきか判断する生成方法判断処理を実行し、
前記生成方法判断処理による判断結果に従って、前記送信用画像データ生成処理を実行する
ことを特徴とする画像送信装置。
【請求項７】
請求項１〜請求項６の何れか１項に記載の画像送信装置であって、
原稿の画像を読み取る画像読取部を備え  
前記制御部は、前記追加受付処理において、前記画像読取部により読み取られた画像の画像データを前記追加画像データとして受け付ける
ことを特徴とする画像送信装置。
【請求項８】
請求項１〜請求項７の何れか１項に記載の画像送信装置であって、
前記画像データ送信部は、送信対象の画像データをファクシミリ通信により送信する
ことを特徴とする画像送信装置。
【請求項９】
請求項１〜請求項８の何れか１項に記載の画像送信装置であって、
前記通信部は、所定の遠隔無線通信方式または有線通信方式によって前記外部通信端末と通信が可能である
ことを特徴とする画像送信装置。
【請求項１０】
請求項９に記載の画像送信装置であって、
前記外部通信端末と前記通信部による通信よりも通信可能範囲の狭い所定の近距離無線通信方式によって無線通信が可能な近距離無線通信部を備え、
前記外部通信端末は、前記近距離無線通信部との前記近距離無線通信方式による無線通信を開始した後に、前記近距離無線通信方式又は前記遠隔無線通信方式によって前記画像データ及び前記宛先情報を送信可能に構成されており、
前記制御部は、
前記近距離無線通信部を介した前記外部通信端末との無線通信が行われたか否か判断する近距離無線通信判断部を備え、
前記近距離無線通信判断部により前記無線通信が行われたと判断された場合に、前記受信処理において、前記通信部又は前記近距離無線通信部を介して前記画像データ及び前記宛先情報を受信する
ことを特徴とする画像送信装置。
【請求項１１】
所定の通信方式によって外部通信端末と通信が可能な通信部と、
画像データを送信可能な画像データ送信部と、
を備えた画像送信装置で用いられる画像送信方法であって、
前記通信部を介して前記外部通信端末から画像データ及び宛先情報を受信する受信ステップと、
前記受信ステップによる前記画像データ及び前記宛先情報の受信後、前記外部通信端末から受信した画像データである端末側画像データ以外の他の画像データである追加画像データの追加を受け付ける追加受付ステップと、
前記追加受付ステップにより受け付けられた前記追加画像データ及び前記端末側画像データを、前記画像データ送信部を介して前記宛先情報が示す宛先へ送信する送信ステップと、
を備えることを特徴とする画像送信方法。
【発明の詳細な説明】
【技術分野】
【０００１】
本発明は、画像データを送信する画像送信装置および画像送信方法に関する。
【背景技術】
【０００２】
ファクシミリ装置あるいはファクシミリ機能を備えた多機能装置などの、画像データを送信する機能を備えた各種の画像送信装置が普及している。このような画像送信装置に対し、当該装置以外の他の通信端末から通信により画像データを取得してその画像データを外部へ送信可能な機能（以下「中継送信機能」ともいう）を搭載することが提案されている（例えば、特許文献１参照。）。
【０００３】
中継送信機能を備えることで、当該装置自身で読み取った原稿の画像データや当該装置内に記憶されている画像データなどを送信できるだけでなく、他の通信端末から取得した画像データも送信できるようになり、利便性を高めることができる。
【先行技術文献】
【特許文献】
【０００４】
【特許文献１】特開２００７−３１２１４２号公報
【発明の概要】
【発明が解決しようとする課題】
【０００５】
中継送信機能を備えた画像送信装置のユーザにおいて、通信端末内の画像データだけでなく、画像送信装置で読み取らせた原稿の画像データも一緒に送信したいというニーズが生じる可能性がある。
【０００６】
しかし、単に中継送信機能を備えているだけでは、上記ニーズに適切に応えることはできない。上記ニーズへの対応方法として、例えば、通信端末内の画像データを一旦印刷出力して紙の原稿とし、これを装置側の原稿に追加してまとめてファクシミリ送信するという方法が考えられるが、操作が煩雑となり、ユーザの使い勝手を損ねてしまう。
【０００７】
本発明は上記課題に鑑みなされたものであり、外部の通信端末と通信可能な画像送信装置において、通信端末から送信されてきた画像データと、当該装置側の画像データとを、容易に且つ効率良くまとめて送信できるようにすることを目的とする。
【課題を解決するための手段】
【０００８】
上記課題を解決するためになされた本発明の画像送信装置は、通信部と、画像データ送信部と、制御部とを備える。通信部は、所定の通信方式によって外部通信端末と通信が可能である。画像データ送信部は、画像データを送信可能である。制御部は、受信処理と、追加受付処理と、送信用画像データ生成処理と、送信処理とを実行する。
【０００９】
受信処理は、通信部を介して外部通信端末から画像データ及び宛先情報を受信する処理である。追加受付処理は、受信処理による画像データ及び宛先情報の受信後、所定時間、外部通信端末から受信した画像データ（端末側画像データ）以外の他の画像データ（追加画像データ）の追加を受け付ける処理である。送信用画像データ生成処理は、追加受付処理により追加画像データの追加が受け付けられた場合に、端末側画像データに追加画像データを加えて送信用画像データを生成する処理である。送信処理は、送信用画像データ生成処理により生成された送信用画像データを画像データ送信部を介して宛先情報が示す宛先へ送信する処理である。
【００１０】
このように構成された画像送信装置によれば、受信処理により端末側画像データが受信された後、当該装置において追加画像データが受け付けられた場合は、これら両画像データが送信用画像データとしてまとめられて宛先へ送信される。そのため、外部通信端末から送信されてきた画像データと、当該装置側の画像データとを、容易に且つ効率良くまとめて送信することが可能となる。
【００１１】
制御部は、同一宛先判断処理を実行できるようにしてもよい。この同一宛先判断処理は、追加受付処理により追加画像データの追加が受け付けられた場合に、端末側画像データと追加画像データとが、共に同一の宛先へ送信すべき同一宛先にあるか否かを判断する処理である。そして、制御部は、同一宛先判断処理により端末側画像データと追加画像データとが同一宛先にあると判断した場合に、送信用画像データ生成処理を実行するようにしてもよい。
【００１２】
外部通信端末から端末側画像データが送信されたタイミングや場所等によっては、あるユーザが外部通信端末から端末側画像データを送信した後、当該装置側において追加画像データを追加する前に、他のユーザが別の画像データを送信させてしまうおそれがある。この場合、外部通信端末からの端末側画像データが、他のユーザの画像データと一緒に送信されてしまうおそれがある。
【００１３】
これに対し、各画像データを一まとめにする前に、両者が同一宛先にあるか否かを確認し、同一宛先にある場合に両者をまとめて（送信用画像データとして）送信するようにすることで、上記誤送信を抑止することができる。
【００１４】
制御部による同一宛先判断処理の具体的内容は種々考えられ、例えば、制御部は、同一宛先判断処理として、宛先入力受付処理と宛先一致判断処理とを行うようにしてもよい。宛先入力受付処理は、追加画像データの宛先の入力を受け付ける処理である。宛先一致判断処理は、宛先入力受付処理により受け付けられた追加画像データの宛先と、宛先情報が示す宛先とが一致するか否か判断する処理である。そして、宛先一致判断処理により一致すると判断された場合に、端末側画像データと追加画像データとが同一宛先にあると判断するようにしてもよい。
【００１５】
このように、当該装置側で宛先の入力を受け付けて外部端末装置からの宛先情報と照合することで、同一宛先であるか否かの判断を容易且つ精度良く行うことができる。
制御部は、同一宛先判断処理を次のように行うようにしてもよい。即ち、制御部は、外部通信端末で画像データ及び宛先情報の送信操作を行った端末側操作者と、当該画像送信装置において追加画像データの追加操作を行った装置側操作者とが同一又は対応する関係にあるか否かの認証処理を行う。そして、認証処理により各操作者が同一又は対応する関係にあるとの認証が成功した場合に、端末側画像データと追加画像データとが同一宛先にあると判断するようにしてもよい。
【００１６】
このように、相互認証により同一宛先にあるか否かの判断を行うことによっても、その判断を容易且つ精度良く行うことができる。
同一宛先判断処理を上記のように相互認証を用いて行う場合、認証に失敗する可能性もある。その場合、制御部は、更に、既述の宛先入力受付処理と宛先一致判断処理とを実行するようにしてもよい。そして、宛先一致判断処理により一致すると判断された場合は、（たとえ認証に失敗したとしても）端末側画像データと追加画像データとが同一宛先にあると判断するようにしてもよい。
【００１７】
このようにすることで、端末側画像データと追加画像データが本来同一宛先にあるにもかかわらず何らかの原因で認証に失敗してしまったとしても、これら両画像をまとめて送信することができる。そのため、誤送信の抑制効果を高いレベルで維持しつつ、ユーザの利便性を向上させることができる。
【００１８】
制御部は、送信用画像データを生成する方法を判断する生成方法判断処理を実行して、その判断結果に従って、送信用画像データ生成処理を実行するようにしてもよい。生成方法判断処理は、追加受付処理により追加画像データの追加が受け付けられた場合に、端末側画像データ及び追加画像データの少なくとも一方に基づいて、これら各画像データを相互にどのように組み合わせて送信用画像データを生成すべきか判断する処理である。
【００１９】
このように生成方法判断処理を行うことで、端末側画像データと追加画像データとを適切に組み合わせて１つの送信用画像データを生成することができる。
当該画像送信装置は、原稿の画像を読み取る画像読取部を備えたものであってもよい。その場合、制御部は、追加受付処理において、画像読取部により読み取られた画像の画像データを追加画像データとして受け付けるようにしてもよい。
【００２０】
このように構成された画像送信装置によれば、ユーザは、外部通信端末からの端末側画像データに所望の原稿の画像を追加画像データとして追加してまとめて送信させることができる。そのため、ユーザの利便性、使い勝手をより向上させることができる。
【００２１】
画像データ送信部は、送信対象の画像データをファクシミリ通信により送信可能な構成であってもよい。このような構成であれば、外部通信端末からの端末側画像データに所望の追加画像データを追加してまとめてファクシミリ送信することができる。そのため、利便性の高いファクシミリ機能を提供することが可能となる。
【００２２】
通信部は、所定の遠隔無線通信方式または有線通信方式によって外部通信端末と通信が可能な構成であってもよい。このような構成により、当該画像送信装置から離れた場所にある外部通信端末内の端末側画像データを当該画像送信装置から装置側画像データと共に送信することができる。
【００２３】
外部通信端末が所定の近距離無線通信方式による無線通信機能を備えている場合は、画像送信装置を次のように構成してもよい。即ち、画像送信装置は、近距離無線通信部を備える。この近距離無線通信部は、外部通信端末と所定の近距離無線通信方式によって無線通信が可能である。近距離無線通信方式は、通信部による通信よりも通信可能範囲の狭い無線通信方式である。
【００２４】
外部通信端末は、近距離無線通信部との近距離無線通信方式による無線通信を開始した後に、近距離無線通信方式又は遠隔無線通信方式によって画像データ及び宛先情報を送信可能に構成されている。
【００２５】
そして、制御部は、近距離無線通信部を介した外部通信端末との無線通信が行われたか否か判断する近距離無線通信判断部を備え、この近距離無線通信判断部により無線通信が行われたと判断された場合に、受信処理において、通信部又は近距離無線通信部を介して画像データ及び宛先情報を受信する。
【００２６】
このように構成された画像送信装置によれば、外部通信端末を当該画像送信装置にかざすという簡単な操作で、外部通信端末内の端末側画像データを当該画像送信装置に送信して装置側画像データと共に送信させることができる。
【図面の簡単な説明】
【００２７】
【図１】実施形態の画像送信システム全体の概略構成を表す説明図である。
【図２】（ａ）は複合機のブロック図、（ｂ）はスマートフォンのブロック図、（ｃ）はＰＣのブロック図である。
【図３】複合機が実行するファクシミリ送信処理を表すフローチャートである。
【図４】図３のＳ１３の原稿送信指示確認処理の詳細を表すフローチャート、及びスマートフォンが実行する原稿送信処理を表すフローチャートである。
【図５】ＰＣが実行する原稿送信処理を表すフローチャートである。
【図６】図３のＳ１７の複合機原稿追加指示確認処理の詳細を表すフローチャートである。
【図７】図３のＳ１９の複合機原稿挿入処理の詳細を表すフローチャートである。
【発明を実施するための形態】
【００２８】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。例えば、下記の実施形態の構成の一部を、同様の機能を有する公知の構成に置き換えたり、他の実施形態の構成に対して付加、置換等したり、課題を解決できる限りにおいて省略したりしてもよい。また、下記の複数の実施形態を適宜組み合わせて構成してもよい。
【００２９】
（１）画像送信システム１の全体構成
図１に示すように、本実施形態の画像送信システム１は、複合機３と、スマートフォン５と、パーソナルコンピュータ（以下「ＰＣ」という）７と、アクセスポイント（以下「ＡＰ」という）９と、を備えている。
【００３０】
複合機３は、プリンタ機能、スキャン機能、コピー機能、ファクシミリ機能などの複数の機能を有する多機能周辺装置である。複合機３は、通信回線３ａを介して外部のファクシミリ装置等の通信装置との間でファクシミリ通信が可能である。さらに、複合機３は、無線ＬＡＮ及びＮＦＣ（Near Field Communication；近距離無線通信）の２種類の無線通信方式による無線通信機能を備えている。
【００３１】
無線ＬＡＮは、例えばＩＥＥＥ８０２．１１ａ／ｂ／ｇ／ｎの規格で定められる通信方式等であり、２．４ＧＨｚ帯又は５ＧＨｚ帯の周波数帯域の電波が用いられる。ＮＦＣは、通信可能距離が無線ＬＡＮよりも狭い範囲（約１０ｃｍ程度）に限定された近距離無線通信であり、例えば１３．５６ＭＨｚの周波数帯域の電波が用いられる。複合機３は、ＡＰ９を介してスマートフォン５やＰＣ７と無線ＬＡＮによる通信（以下「無線ＬＡＮ通信」という）を行ったり、ＡＰ９を介してインターネット接続したりすることができる。
【００３２】
複合機３は、スマートフォン５との間で、ＮＦＣによる無線通信（以下「ＮＦＣ通信」という）が可能である。両者間のＮＦＣ通信は、スマートフォン５の使用者がスマートフォン５を複合機３の所定の近接部位に近接させる（かざす）ことで実現される。
【００３３】
具体的には、複合機３には、機器内部における上部側に、ＮＦＣ通信におけるＲＦ信号の送受信を担うＮＦＣ通信部１８が搭載されている。このＮＦＣ通信部１８には、ＮＦＣ通信用のアンテナが設けられている。このアンテナの上部が上記の近接部位であり、スマートフォン５がこの近接部位（アンテナの上部）にかざされると、複合機３とスマートフォン５とのＮＦＣ通信が可能となり、所定の通信手順で無線通信が行われる。
【００３４】
スマートフォン５は、携帯電話やメール機能などの一般的な携帯電話が備えている機能に加えて、インターネット接続機能を備え、さらに各種アプリケーションソフトのインストールにより各種の機能を付加可能な、多機能携帯通信端末である。
【００３５】
スマートフォン５は、無線ＬＡＮ通信及びＮＦＣ通信が可能である。そのため、スマートフォン５は、複合機３との間でＮＦＣ通信により相互にデータ通信が可能である。また、スマートフォン５は、ＡＰ９を介して他の通信機器と無線ＬＡＮ通信が可能である。
【００３６】
スマートフォン５は、アプリケーションソフトとして、例えば文書作成ソフト、画像編集ソフト、ファクシミリソフトなどを備えている。ファクシミリソフトは、文書作成ソフトで作成した文書や画像編集ソフトで編集した画像などの各種の画像データを複合機３経由でファクシミリ送信させるためのソフトである。スマートフォン５からファクシミリソフトで各種画像データを複合機３へ送信することで、その画像データを複合機３からファクシミリ送信させたり、その画像データに複合機３で読み取られた原稿の画像データを加えて１つの画像データとしてファクシミリ送信させたりすることができる。
【００３７】
ＰＣ７は、ＡＰ９との間で無線ＬＡＮ通信が可能であり、ひいては、ＡＰ９を介して複合機３やスマートフォン５との間で無線ＬＡＮ通信が可能である。そのため、ＰＣ７は、ＡＰ９を介した無線ＬＡＮ通信により複合機３やスマートフォン５との間で画像データを含む各種のデータを送受信することができる。
【００３８】
ＰＣ７には、ＯＳやデバイスドライバ、各種アプリケーションソフトがインストールされている。アプリケーションソフトの中には、複合機３に対して原稿の画像読み取り（スキャン）を指示したり複合機３で読み取られた画像データを受信して各種処理を行ったりすることが可能なソフトや、複合機３のプリンタ機能にて印刷出力させるための画像データを作成するソフト、ＰＣ７で作成、編集等した画像データを複合機３からファクシミリ送信させるためのソフト（以下「ＰＣＦＡＸ」ともいう）などが含まれている。
【００３９】
ＰＣ７で作成した画像データをＰＣＦＡＸにて複合機３からファクシミリ送信させる際は、送信対象の画像データを無線ＬＡＮ通信にて複合機３へ送信する必要がある。ＰＣ７から複合機３へ送信した画像データは、単独でファクシミリ送信することができるほか、上記スマートフォン５からの画像データと同様、複合機３で読み取られた原稿の画像データと共に１つのファクシミリ送信用の画像データとしてファクシミリ送信することもできる。以下の説明では、スマートフォン５やＰＣ７から複合機３へ送信される各種画像データのうち、特にファクシミリ機能によるファクシミリ送信を目的とする画像データを、「原稿データ」又は単に「原稿」とも称する。
【００４０】
ＡＰ９は、無線ＬＡＮのデータ中継機能を担う無線中継装置である。複合機３、スマートフォン５及びＰＣ７は、ＡＰ９を介して相互に無線ＬＡＮ通信可能である。
（２）複合機３の構成
複合機３は、より具体的には、図２（ａ）に示すように、ＣＰＵ１１、ＲＯＭ１２、ＲＡＭ１３、ＮＶＲＡＭ１４、表示部１５、入力部１６、無線ＬＡＮ通信部１７、ＮＦＣ通信部１８、通信回線接続部１９、印刷部２０、スキャナ部２１などを備えている。
【００４１】
ＣＰＵ１１は、ＲＯＭ１２やＮＶＲＡＭ１４に記憶されている各種プログラムに従って複合機３内の各部の制御を実行する。ＲＡＭ１３は、各種の情報を記憶するワークエリアや画像データを記憶するメインメモリ等として利用される。ＮＶＲＡＭ（Non Volatile RAM）１４は、記憶内容を電気的に書き換え可能な不揮発性メモリであり、ファームウェアや各種設定値、各種プログラム、各種データ等が記憶される。なお、ＲＯＭ１２又はＮＶＲＡＭ１４に記憶されている各種プログラムの１つとして、後述するファクシミリ送信処理プログラム（図３参照）がある。
【００４２】
表示部１５は、液晶ディスプレイやＬＥＤなどの各種の表示装置を備えている。入力部１６は、タッチパネルや各種操作ボタン等を備え、使用者による操作入力を受け付ける。印刷部２０は、印刷用紙等の被記録媒体に画像を形成（印刷）する。スキャナ部２１は、イメージセンサを備え、原稿の画像を読み取ってその画像データを生成する。
【００４３】
スキャナ部２１で読み取られた原稿の画像データは、通信回線接続部１９を介してファクシミリ送信することができる。その際、ユーザは、入力部１６を介して宛先のダイヤル番号を入力したり、予め登録されている宛先（ダイヤル番号）を指定したりすることで、宛先を入力することができる。
【００４４】
無線ＬＡＮ通信部１７は、無線ＬＡＮ通信の信号処理（いわゆるＲＦ信号の処理）を担う通信モジュールである。ＮＦＣ通信部１８は、ＮＦＣ通信の信号処理（ＲＦ信号の処理）を担う通信モジュールである。通信回線接続部１９は、通信回線３ａを介して外部通信機器と通信を行うための回線インタフェースである。複合機３においては、通信回線接続部１９を介して、各種の原稿をファクシミリ通信により送信又は受信することができる。
【００４５】
（３）スマートフォン５の構成
スマートフォン５は、図２（ｂ）に示すように、ＣＰＵ３１、ＲＯＭ３２、ＲＡＭ３３、フラッシュメモリ３４、表示部３５、入力部３６、無線ＬＡＮ通信部３７、ＮＦＣ通信部３８、携帯通信回線接続部３９、メモリカードインタフェース（以下「メモリカードＩ／Ｆ」という）４０、及び音声入出力部４１などを備えている。
【００４６】
ＣＰＵ３１は、ＲＯＭ３２やフラッシュメモリ３４，メモリカードＩ／Ｆ４０に装着されたメモリカード等に記憶されている各種プログラムやデータ等に基づいて各種処理を行う。ＲＡＭ３３は、各種の情報を記憶するワークエリアやメインメモリ等として利用される。フラッシュメモリ３４は、記憶内容を書き換え可能な不揮発性のメモリであり、既述の文書作成ソフト、画像編集ソフト等のプログラムや、後述する原稿送信処理（図４）のプログラム（ファクシミリソフトのプログラム）を含む、各種プログラム、データ等が記憶されている。
【００４７】
表示部３５は、液晶ディスプレイやＬＥＤなどの各種の表示装置を備え、各種画面、情報等を表示可能である。入力部３６は、スマートフォン５の筺体に設けられたハードキーやタッチパネルを有する。ユーザは、入力部３６への操作を介して、各種設定情報や指示等を入力することができる。
【００４８】
携帯通信回線接続部３９は、スマートフォン５を携帯通信回線に接続するための周知のインタフェースである。メモリカードＩ／Ｆ４０は、不揮発性のメモリカードが装着されるインタフェースであって、メモリカードに対するデータの書き込み又は読み出しを制御する。音声入出力部４１は、マイクやスピーカなどで構成された音声入出力用デバイスである。
【００４９】
無線ＬＡＮ通信部３７は、スマートフォン５と他の機器とを無線ＬＡＮ接続する回路であり、基本的な機能は、複合機３の無線ＬＡＮ通信部１７と同じである。ＮＦＣ通信部３８は、スマートフォン５と複合機３とをＮＦＣ接続する回路であり、基本的な機能は、複合機３のＮＦＣ通信部１８と同じである。
【００５０】
ＮＦＣ通信が可能な範囲はごく近距離（例えば約１０ｃｍ以内）である。ユーザがスマートフォン５を複合機３に近づけて、スマートフォン５のＮＦＣ通信部３８のアンテナと複合機３のＮＦＣ通信部１８のアンテナとの距離が上記通信可能範囲内になると（つまりスマートフォン５が複合機３にかざされると）、両者間でＮＦＣ通信が開始される。
【００５１】
なお、本明細書において、スマートフォン５と複合機３の両者の位置関係について「近づける」あるいは「かざす」などというときは、特に断りのない限り、両者をＮＦＣ通信が可能な状態となるように近接させることを意味するものとする。
【００５２】
（４）ＰＣ７の構成
ＰＣ７は、図２（ｃ）に示すように、ＣＰＵ５１、ＲＯＭ５２、ＲＡＭ５３、ＨＤＤ（ハードディスクドライブ）５４、表示部５５、入力部５６、無線ＬＡＮ通信部５７、有線ＬＡＮ通信部５８、及びＵＳＢインタフェース（ＵＳＢＩ／Ｆ）５９などを備えている。
【００５３】
表示部５５は、液晶ディスプレイなどの表示デバイスが含まれる。入力部５６は、ユーザにより操作される周知のキーボードやマウス、あるいはタッチパネルなどが含まれる。
ＨＤＤ５４には、ＯＳやデバイスドライバ、各種アプリケーションソフトなどがインストールされている。各種アプリケーションソフトの中には、既述の通り、ＰＣＦＡＸが含まれている。さらに、そのＰＣＦＡＸを実現するための各種プログラムの中には、後述する原稿送信処理（図５）が含まれている。
【００５４】
無線ＬＡＮ通信部５７は、ＰＣ７と他の機器とを無線ＬＡＮ接続する回路であり、基本的な機能は、複合機３の無線ＬＡＮ通信部１７と同じである。有線ＬＡＮ通信部５８は、ＰＣ７と他の機器とを有線ＬＡＮ接続するための通信インタフェースである。ＵＳＢＩ／Ｆ５９は、ＰＣ７と他の機器とをＵＳＢ接続するための通信インタフェースである。
【００５５】
（５）画像送信システム１の特徴
画像送信システム１が備える最も特徴的な機能の１つとして、既述のように、スマートフォン５やＰＣ７などの外部通信端末内の原稿を複合機３が中継してファクシミリ送信できる機能がある。しかもその機能においては、ファクシミリ送信の際、外部通信端末からの原稿に複合機３で読み取られた原稿の画像を加えて一緒に送信することができる。
【００５６】
（５−１）スマートフォン５の原稿を送信する際の動作の概要
スマートフォン５内の原稿をファクシミリ送信させる際に、複合機３において別の原稿を読み取らせてその原稿をスマートフォン５からの原稿に加えて１つの送信原稿としてファクシミリ送信させたい場合、ユーザは、次のようにしてそのファクシミリ送信を実現することができる。即ち、ユーザはまず、スマートフォン５においてファクシミリ送信対象の原稿の選択及び宛先の入力操作を行い、スマートフォン５を複合機３にかざす。すると、スマートフォン５と複合機３との間でＮＦＣ通信が行われ、そのＮＦＣ通信を契機として両者間で無線ＬＡＮ通信が確立する。その無線ＬＡＮ通信により、スマートフォン５から複合機３へ、スマートフォン５で選択された原稿及び宛先情報が送信される。
【００５７】
スマートフォン５から送信された原稿及び宛先情報が複合機３で受信された後、所定時間が経過するまでの間に、ユーザが複合機３で別の原稿（例えば紙の原稿）を読み取らせると、スマートフォン５からの原稿にその読み取らせた原稿が挿入されて１つの送信用画像データが生成される。その生成された送信用画像データが、上記宛先へファクシミリ送信される。
【００５８】
（５−２）ＰＣ７の原稿を送信する際の動作の概要
ＰＣ７内の原稿をファクシミリ送信させる際に、複合機３で別の原稿を読み取らせてその原稿をＰＣ７からの原稿に加えて１つの送信原稿としてファクシミリ送信させたい場合、ユーザは、次のようにしてそのファクシミリ送信を実現することができる。即ち、ユーザはまず、ＰＣ７においてＰＣＦＡＸを起動させ、ファクシミリ送信対象の原稿の選択及び宛先の入力操作等を行うことにより、ＰＣ７から複合機３へその原稿及び宛先情報を無線ＬＡＮ通信で送信させる。
【００５９】
ＰＣ７から送信された原稿及び宛先情報が複合機３で受信された後、所定時間が経過するまでの間に、ユーザが複合機３で別の原稿（例えば紙の原稿）を読み取らせると、ＰＣ７からの原稿にその読み取らせた原稿が挿入されて１つの送信用画像データが生成される。その生成された送信用画像データが、上記宛先へファクシミリ送信される。
【００６０】
なお、ＰＣ７は、複合機３へファクシミリ送信用の原稿及び宛先情報を送信する際、所定の認証情報も送信する。認証情報としては、例えば、ＰＣ７内に予め登録されているユーザＩＤや、ＰＣ７固有の端末情報などがある。
【００６１】
複合機３は、ＰＣ７との間でユーザ認証を行う認証機能を備えている。具体的には、複合機３は、ＰＣ７等の外部通信端末の認証情報又はその認証情報に紐付けられた（対応した）所定の情報を予め登録可能である。複合機３は、外部通信端末から原稿、宛先情報及び認証情報を受信した場合に、その外部通信端末の認証情報又はそれに紐付けられた情報が複合機３自身に登録されている場合は、認証成功として、受信した原稿を複合機３自身の原稿に加えて一緒にファクシミリ送信することを許可する。認証に成功するということは、外部通信端末から原稿を送信したユーザと複合機３で原稿の入力（具体的には読み取り指示・操作）を行ったユーザとが一致又は対応する関係にあるということである。
【００６２】
ただし本実施形態では、認証が失敗しても、ユーザに対して複合機３において宛先を再入力させ、再入力された宛先が外部通信端末からの宛先情報と一致した場合は、複合機３自身の原稿と一緒にファクシミリ送信することを許可するようにしている。
【００６３】
（５−３）複合機３、スマートフォン５、及びＰＣ７の各種処理の説明
上述した機能を実現するために複合機３、スマートフォン５、及びＰＣ７のそれぞれにおいて実行される処理について、具体的に説明する。まず、複合機３で実行されるファクシミリ送信処理について、図３を用いて説明する。複合機３のＣＰＵ１１は、ユーザによりファクシミリ送信を行うための所定の操作（例えば、ＦＡＸモードボタン（不図示）押下）がなされると、ＮＶＲＡＭ１４から図３のファクシミリ送信処理のプログラムを読み込んで実行する。
【００６４】
複合機３のＣＰＵ１１は、図３のファクシミリ送信処理を開始すると、Ｓ１１で、変数『外部データ』を「なし」に設定する。Ｓ１３では、原稿送信指示確認処理を実行する。Ｓ１３の原稿送信指示確認処理の詳細は、図４の右側に示す通りである。複合機３のＣＰＵ１１は、図４の原稿送信指示確認処理に移行すると、Ｓ１１０で、外部通信端末との近距離無線通信（ＮＦＣ通信）が確立したか否か判断する。以下の説明では、近距離無線通信対象の外部通信端末はスマートフォン５であるものとする。
【００６５】
スマートフォン５が複合機３にかざされることにより両者間でＮＦＣ通信が確立すると、Ｓ１２０で、変数『距離』を「近距離」に設定する。Ｓ１３０では、スマートフォン５からＮＦＣ通信にて、無線ＬＡＮ設定情報を受信する。Ｓ１４０では、Ｓ１３０で受信した無線ＬＡＮ設定情報に基づき、スマートフォン５と無線ＬＡＮ通信を行うために必要な各種の無線ＬＡＮ設定を行う。
【００６６】
Ｓ１５０では、スマートフォン５との無線ＬＡＮ通信が確立するまで待機し、確立したら、Ｓ１６０に進む。Ｓ１６０では、外部通信端末（スマートフォン５）から原稿及び宛先情報を無線ＬＡＮ通信にて受信して、Ｓ２１０に進む。Ｓ２１０では、外部通信端末から受信した宛先情報を変数『端末側宛先』として保存する。Ｓ２２０では、外部通信端末から受信した原稿を変数『端末側原稿』として保存する。Ｓ２３０では、変数『外部データ』を「あり」に設定して、Ｓ１５（図３）に進む。
【００６７】
Ｓ１１０で、近距離無線通信（ＮＦＣ通信）が確立しない場合は、Ｓ１７０で、近距離無線通信（ＮＦＣ通信）以外の他の通信による原稿送信指示を受信したか否か判断する。なお、以下の説明では、説明の簡素化のため、近距離無線通信（ＮＦＣ通信）以外の他の通信は無線ＬＡＮであってその通信対象の外部通信端末はＰＣ７であるものとする。
【００６８】
Ｓ１７０で、近距離無線通信以外の他の通信による原稿送信指示がなかった場合は、Ｓ１５（図３）に進む。Ｓ１７０で、近距離無線通信以外の他の通信による原稿送信指示（ＰＣ７からの無線ＬＡＮ通信による原稿送信指示。具体的には、原稿、宛先情報及び認証情報の送信。）があった場合は、Ｓ１８０で、変数『距離』を「遠距離」に設定する。
【００６９】
Ｓ１９０では、当該複合機３に認証機能があるか否か判断する。複合機３が認証機能を備えていない場合は、Ｓ２１０に進む。複合機３が認証機能を備えている場合は、Ｓ２００で、受信した外部通信端末の認証情報を変数『端末側認証情報』として記憶し、Ｓ２１０に進む。
【００７０】
ここで、スマートフォン５のＣＰＵ３１が実行する原稿送信処理について図４を用いて説明する。スマートフォン５のＣＰＵ３１は、ユーザによりファクシミリソフトが起動されて所定の原稿送信要求操作がなされると、図４の左側に示す原稿送信処理を実行する。
【００７１】
スマートフォン５のＣＰＵ３１は、図４の原稿送信処理を開始すると、Ｓ６１０で、ユーザによる、ファクシミリ送信対象の原稿の選択操作を受け付ける。Ｓ６２０では、ユーザによる宛先の入力操作を受け付ける。Ｓ６３０では、複合機３との近距離無線通信（ＮＦＣ通信）が確立するまで待機し、確立したら、Ｓ６４０に進む。
【００７２】
Ｓ６４０では、複合機３へ、ＮＦＣ通信にて、無線ＬＡＮ設定情報を送信する。ここで送信する無線ＬＡＮ設定情報が、複合機３において、図４のＳ１３０の処理で受信される。Ｓ６５０では、Ｓ６４０で送信した無線ＬＡＮ設定情報に基づき、複合機３と無線ＬＡＮ通信を行うために必要な各種の無線ＬＡＮ設定を行う。
【００７３】
Ｓ６６０では、複合機３との無線ＬＡＮ通信が確立するまで待機し、確立したら、Ｓ６７０に進む。Ｓ６７０では、複合機３へ、無線ＬＡＮ通信にて、原稿及び宛先情報を送信する。ここで送信する原稿及び宛先情報が、複合機３において、図４のＳ１６０の処理で受信される。
【００７４】
続いて、ＰＣ７のＣＰＵ５１が実行する原稿送信処理について、図５を用いて説明する。ＰＣ７のＣＰＵ５１は、ユーザによる所定の原稿送信要求操作がなされると、図５に示す原稿送信処理を実行する。
【００７５】
ＰＣ７のＣＰＵ５１は、図５の原稿送信処理を開始すると、Ｓ７１０で、ユーザによる、複合機３からファクシミリ送信させるべき所望の原稿の選択操作を受け付ける。Ｓ７２０では、ユーザによる、複合機３からのファクシミリ送信の宛先入力操作を受け付ける。Ｓ７３０では、複合機３へ、無線ＬＡＮ通信にて、原稿送信指示を送信する。具体的には、Ｓ７１０で選択された原稿、Ｓ７２０で入力された宛先を示す宛先情報、及び認証情報を、原稿送信指示として（或いは原稿送信指示と共に）複合機３へ送信する。Ｓ７３０で送信する原稿送信指示が、複合機３において、図４のＳ１７０の処理で受信判断される。
【００７６】
図３に戻り、複合機３のファクシミリ送信処理の説明を続ける。複合機３のＣＰＵ１１は、Ｓ１３の原稿送信指示確認処理（詳細は図４）を終了すると、Ｓ１５で、変数『外部データ』の設定状態を判断する。変数『外部データ』が「なし」に設定されている場合は、Ｓ２３で、複合機３においてユーザによる所定の原稿送信指示があるか否か判断する。つまり、外部通信端末からの原稿の有無とは無関係に、所望の原稿を複合機３で読み取らせてファクシミリ送信させるための操作（指示）がなされたか否か判断する。
【００７７】
複合機３において原稿送信指示がない場合は、Ｓ１３に戻る。原稿送信指示があった場合は、Ｓ２５で、ユーザによる宛先のダイヤル操作を受け付ける。Ｓ２７では、原稿の読み取りを行う。つまり、複合機３自身において送信対象の原稿の入力を受け付ける。原稿読み取り後は、Ｓ２１で、ファクシミリ送信を実行する。即ち、Ｓ２７で読み取った原稿の画像データを、Ｓ２５で入力された宛先へ、ファクシミリ送信する。
【００７８】
Ｓ１５で、変数『外部データ』が「あり」に設定されている場合は、Ｓ１７で、複合機原稿追加指示確認処理を実行する。Ｓ１７の複合機原稿追加指示確認処理の詳細は、図６に示す通りである。
【００７９】
複合機３のＣＰＵ１１は、図６の複合機原稿追加指示確認処理に移行すると、Ｓ３１０で、複合機３に認証機能があるか否か判断する。複合機３に認証機能がない場合はＳ３３０に進む。複合機３に認証機能がある場合は、Ｓ３２０で、ユーザによるログイン操作を受け付けて、Ｓ３３０に進む。Ｓ３２０では、入力されたログイン情報（本実施形態では例えばユーザＩＤ）を、変数『複合機のユーザＩＤ』として保存する。
【００８０】
Ｓ３３０では、複合機３において原稿の追加意志が有るか否かを選択入力させるための選択画面を表示部１５に表示させる。具体的には、表示部１５に、「原稿を追加しますか？」という文字を表示させ、さらに、「はい」および「いいえ」のボタンを表示させて、何れか一方のボタンを押下させる。
【００８１】
Ｓ３３０で選択画面を表示させた後、Ｓ３４０で、原稿を追加する旨のユーザ入力があったか否か判断する。原稿を追加する旨のユーザ入力には、上記選択画面において「はい」のボタンが押下されることが含まれる。原稿を追加する旨のユーザ入力がない場合は、Ｓ３５０で、原稿を追加しない旨のユーザ入力があったか否か判断する。原稿を追加しない旨のユーザ入力には、上記選択画面において「いいえ」のボタンが押下されることが含まれる。原稿を追加しない旨のユーザ入力がない場合は、Ｓ３６０で、タイムアウトしたか否か判断する。具体的には、Ｓ３３０の選択画面の表示後、原稿を追加する旨のユーザ入力及び原稿を追加しない旨のユーザ入力のいずれもなされない状態が所定のタイムアウト時間継続したか否か判断する。
【００８２】
Ｓ３６０で、タイムアウトしていない場合は、Ｓ３４０に戻る。Ｓ３６０で、タイムアウトした場合は、Ｓ４６０に進む。Ｓ３５０で原稿を追加しない旨のユーザ入力があった場合も、Ｓ４６０に進む。Ｓ４６０では、変数『追加原稿』を「なし」に設定して、Ｓ１９（図３）に進む。
【００８３】
Ｓ３４０で、原稿を追加する旨のユーザ入力があった場合は、Ｓ３７０で、変数『距離』の設定状態を判断する。変数『距離』が「近距離」に設定されている場合は、Ｓ４４０で、変数『追加原稿』を「あり」に設定し、Ｓ４５０で、複合機３において原稿の読み取りを行う。つまり、複合機３自身において送信対象の原稿の入力を受け付ける。Ｓ４５０では、読み取った原稿の画像データを、変数『複合機の原稿』として保存する。
【００８４】
Ｓ３７０で変数『距離』が「遠距離」に設定されている場合は、Ｓ３８０で、複合機３に認証機能があるか否か判断する。複合機３に認証機能がある場合は、Ｓ３９０で、認証処理を実行し、認証が成功したか否か判断する。具体的には、ＰＣ７から受信した認証情報と複合機３に登録されている認証情報との照合を行い、ＰＣ７から受信した認証情報が複合機３に登録（紐付けも含む）されているか否か判断する。認証に成功した場合、即ちＰＣ７から受信した認証情報が複合機３に登録されている場合は、Ｓ４４０に進む。
【００８５】
Ｓ３９０で、認証に失敗した場合、即ちＰＣ７から受信した認証情報が複合機３に登録されていない場合は、Ｓ４００に進む。また、Ｓ３８０で、複合機３に認証機能がないと判断した場合も、Ｓ４００に進む。Ｓ４００では、ユーザに宛先を再入力させるための宛先再入力要求画面を表示部１５に表示させる。具体的には、例えば「宛先をもう一度入力して下さい」というメッセージを表示させる。
【００８６】
Ｓ４１０では、Ｓ４００で表示させた要求画面に対し、ユーザによる宛先の入力があったか否か判断する。ユーザによる宛先の入力がない場合は、Ｓ４２０で、タイムアウトしたか否か判断する。具体的には、Ｓ４００の要求画面の表示後、宛先の入力がなされない状態が所定のタイムアウト時間継続したか否か判断する。Ｓ４２０で、タイムアウトしていない場合はＳ４１０に戻り、タイムアウトした場合はＳ４６０に進む。
【００８７】
Ｓ４１０で、ユーザによる宛先の入力があった場合は、Ｓ４１０で、その入力された宛先が、変数『端末側宛先』が示す宛先と一致するか否か判断する。一致する場合はＳ４４０に進み、一致しない場合はＳ４６０に進む。
【００８８】
図３に戻ってファクシミリ送信処理の説明を続ける。複合機３のＣＰＵ１１は、Ｓ１７の複合機原稿追加指示確認処理（詳細は図６）を終了すると、Ｓ１９で、複合機原稿挿入処理を実行する。Ｓ１９の複合機原稿挿入処理の詳細は、図７に示す通りである。
【００８９】
複合機３のＣＰＵ１１は、図７の複合機原稿挿入処理に移行すると、Ｓ５１０で、変数『追加原稿』の設定状態を判断する。変数『追加原稿』が「なし」に設定されている場合は、Ｓ２１（図３）に進む。変数『追加原稿』が「あり」に設定されている場合は、Ｓ５２０で、変数『複合機の原稿』の内容を解析する。具体的には、変数『複合機の原稿』の内容（つまり複合機３で読み取られた原稿）の中に、先頭ページを示す所定の印が含まれているか否かを解析する。
【００９０】
Ｓ５３０では、Ｓ５２０での解析結果に基づき、変数『複合機の原稿』に先頭ページを示す印が含まれているか否か判断する。先頭ページを示す印が含まれている場合は、Ｓ５４０で、変数『複合機の原稿』を変数『端末側原稿』の前に挿入する。つまり、外部通信端末から受信した原稿の前（前のページ）に複合機３で読み取った原稿を挿入することで、両者を１つの送信用原稿としてまとめる。変数『複合機の原稿』に先頭ページを示す印が含まれていない場合は、Ｓ５５０で、変数『複合機の原稿』を変数『端末側原稿』の後ろに挿入する。つまり、外部通信端末から受信した原稿の後ろ（後ろのページ）に複合機３で読み取った原稿を挿入することで、両者を１つの送信用原稿としてまとめる。
【００９１】
複合機３のＣＰＵ１１は、この図７の複合機原稿挿入処理を終えると、Ｓ２１（図３）で、ファクシミリ送信を実行する。即ち、図７のＳ５４０又はＳ５５０の何れかで生成された送信用の画像データをファクシミリ送信する。なお、図７のＳ５１０で変数『追加原稿』が「なし」と判断された場合は、外部通信端末から受信した原稿のみ送信する。この場合、別途、複合機３で読み取った原稿がある場合は、その原稿については、ファクシミリ送信を無効とするか若しくは外部通信端末からの原稿とは別に送信する。
【００９２】
（６）実施形態の効果等
以上説明した本実施形態の画像送信システム１によれば、外部通信端末から原稿を受信した後、複合機３において別途原稿を入力させる（例えばスキャナ部２１により読み取らせる）ことで、その入力された原稿を外部通信端末からの原稿と一緒にファクシミリ送信させることができる。そのため、外部通信端末の画像データと複合機３側の画像データとを、容易に且つ効率良くまとめて送信することができ、ユーザの利便性、使い勝手の良い複合機３（特にファクシミリ機能）を提供することができる。
【００９３】
また、複合機３は、外部通信端末から原稿（画像データ）を受信した後、当該複合機３自身で原稿を読み取った場合に、その読み取った原稿を外部通信端末からの原稿に追加・挿入してまとめて送信すべきかどうかを判断する。そして、まとめて送信すべき場合（即ち同一宛先にある場合）にまとめて送信するようにしている。そのため、例えば外部通信端末のユーザがある原稿を複合機３へ送信してファクシミリ送信させようとしているときに、別のユーザが複合機３で原稿を読み取らせてそれが追加されて送信されてしまうといった、誤送信を抑止することができる。
【００９４】
誤送信を抑止するための具体的方法（同一宛先にあるか否かの具体的判断方法）として、スマートフォン５から原稿を送信した場合は、複合機３において原稿を追加する意志の有無を確認する方法を採用している（図６のＳ３４０）。そのため、上記誤送信を容易且つ精度良く抑止することができる。
【００９５】
一方、ＰＣ７から原稿を送信した場合も、誤送信抑止方法として、スマートフォン５からの原稿送信時と同様、複合機３において原稿を追加する意志の有無を確認する方法を採用している（図６のＳ３４０）。そのため、上記誤送信を容易且つ精度良く抑止することができる。
【００９６】
更に、ＰＣ７から原稿を送信した場合は、上述した原稿追加意志の確認に加えて、複合機３の認証機能の有無に応じて、誤送信抑止のための別処理を追加で行うようにしている。即ち、複合機３に認証機能がある場合は、ＰＣ７からの認証情報に基づいて認証処理を行い、認証が成功した場合に複合機３の原稿をＰＣ７からの原稿に追加するようにしている。そのため、両原稿をまとめて一緒にファクシミリ送信してもよいか否かの判断を、容易且つ精度良く行うことができる。
【００９７】
しかも、仮に認証に失敗したとしても、或いは複合機３が認証機能を備えていない場合であっても、ユーザに対して宛先の再入力要求が行われ、入力された宛先が外部通信端末からの宛先と一致した場合は、外部通信端末からの原稿を複合機３の原稿と一緒にまとめてファクシミリ送信するようにしている。そのため、誤送信の抑制効果を高いレベルで維持しつつ、ユーザの利便性を向上させることができる。
【００９８】
また、複合機３は、外部通信端末から受信した原稿に読み取った原稿を追加する際、読み取った原稿の内容に基づいて、外部通信端末からの原稿の前に挿入すべきかそれとも後ろに挿入すべきかを判断するようにしている。そのため、両原稿を適切に組み合わせて１つの送信用画像データを生成することができる。
【００９９】
また、複合機３は、スマートフォン５等の近距離無線通信が可能な外部通信端末、及びスマートフォン５やＰＣ７等の遠距離無線通信が可能な外部通信端末の双方から、ファクシミリ送信対象の原稿を受け付けてそれを単独で若しくは複合機３の原稿と一緒にファクシミリ送信できる。そのため、ユーザは、複合機３を用いることで、当該複合機３と通信可能な様々な外部通信端末の原稿をファクシミリ送信することができる。
【０１００】
なお、本実施形態において、無線ＬＡＮ通信部１７は本発明の通信部の一例に相当し、ＮＦＣ通信部１８は本発明の近距離無線通信部の一例に相当し、通信回線接続部１９は本発明の画像データ送信部の一例に相当し、スキャナ部２１は本発明の画像読取部の一例に相当し、ＣＰＵ１１は本発明の制御部の一例に相当する。
【０１０１】
［他の実施形態］
（１）複合機３における認証処理の具体的方法は種々考えられる。スマートフォン５から原稿を送信したユーザと、複合機３で原稿を読み取らせてファクシミリ送信しようとするユーザとが同じであるかどうか、即ち、両原稿をまとめて一緒にファクシミリ送信してもよいかどうかを、適切に判断することができる限り、種々の認証方法を採用できる。
【０１０２】
（２）ＰＣ７から遠距離無線通信（無線ＬＡＮ）で原稿を受信した場合に用いられる誤送信抑止のための確認方法（認証処理や宛先再入力）を、スマートフォン５から近距離無線通信（ＮＦＣ通信）で原稿を受信した場合に採用してもよい。外部通信端末からの原稿に複合機３の原稿を追加して一緒にファクシミリ送信してもよいか否かの判断方法は、上記実施形態で説明した方法に限らず、他の様々な方法を採用することができる。
【０１０３】
（３）ＰＣ７からの原稿受信時に認証が失敗した場合にどのような処理をするか（複合機３の原稿の追加を許可するかそれとも拒否するか、など）については、上記実施形態（特に図６の複合機原稿追加指示確認処理）で示した内容以外の処理を採用してもよい。
【０１０４】
（４）外部通信端末から受信した原稿に対して複合機３の原稿をどのように追加・挿入するかについて、図７のＳ５２０〜Ｓ５５０に示した判断・処理方法はあくまでも一例であり、他の方法を採用してもよい。例えば、複合機３で読み取った原稿の内容、画像の有無、ファイルの種類、添付ファイルの有無、ファイル容量、などの様々な情報に基づいて挿入位置や方法を解析して挿入するようにしてもよい。
【０１０５】
（５）複合機３からの画像送信方法は、ファクシミリ送信に限定されるものではない。ファクシミリ以外の他の方法、通信規格に基づいて複合機３から画像を送信可能な構成であってもよく、その場合も本発明を適用可能である。
【０１０６】
（６）遠隔無線通信方式として、無線ＬＡＮはあくまでも一例である。有線通信方式（例えば有線ＬＡＮやＵＳＢなど）でＰＣ７から複合機３へ原稿を送信できるようにしてもよい。無線ＬＡＮの場合、ＡＰ９を介さず直接通信を行えるようにしてもよい。
【０１０７】
（７）近距離無線通信方式についても、ＮＦＣ通信はあくまでも一例である。また、スマートフォン５から複合機３へ、同じ１つの無線通信方式で（例えばＮＦＣ通信で）原稿のデータまで送信するようにしてもよい。
【０１０８】
（８）上記実施形態では、複合機３と近距離無線通信方式による無線通信を行う外部通信端末としてスマートフォン５を示したが、スマートフォン５はあくまでも一例である。複合機３は、スマートフォン５以外の他の外部通信端末からも近距離無線通信方式にて原稿を受信可能である。遠距離無線通信方式による無線通信を行う外部通信端末についても、ＰＣ７はあくまでも一例である。複合機３は、ＰＣ７以外の他の外部通信端末（例えばスマートフォン５やその他の各種通信端末）からも遠距離無線通信方式にて原稿を受信可能である。
【符号の説明】
【０１０９】
１…画像送信システム、３…複合機、３ａ…通信回線、５…スマートフォン、７…ＰＣ、１１，３１，５１…ＣＰＵ、１２，３２，５２…ＲＯＭ、１３，３３，５３…ＲＡＭ、１４…ＮＶＲＡＭ、１５，３５，５５…表示部、１６，３６，５６…入力部、１７，３７，５７…無線ＬＡＮ通信部、１８，３８…ＮＦＣ通信部、１９…通信回線接続部、２０…印刷部、２１…スキャナ部、３４…フラッシュメモリ、３９…携帯通信回線接続部、４０…メモリカードＩ／Ｆ、４１…音声入出力部、５４…ＨＤＤ、５８…有線ＬＡＮ通信部、５９…ＵＳＢＩ／Ｆ。
【図１】
2015033005.tif 000003
【図２】
2015033005.tif 000004
【図３】
2015033005.tif 000005
【図４】
2015033005.tif 000006
【図５】
2015033005.tif 000007
【図６】
2015033005.tif 000008
【図７】
2015033005.tif 000009